(57)【要約】【課題】  操作性を向上させることができ、また、取付作業の煩雑さを解消し、水漏れのおそれも低減することのできる分岐止水栓を提供すること。【解決手段】  ストレート形状に形成された主管部２２と、主管部２２の径方向に突設された分岐管部２４，２５とが備えられて一体成形されたボディ２６と、ボディ２６内部に止水栓６２及び分岐栓３４が備えられた分岐止水栓２０において、止水栓６２を回転駆動させる止水ハンドル７５と分岐栓３４を回転駆動させる分岐ハンドル４７とが、ボディ２６に対して同一方向に向けて取り付けられている。    【選択図】    図１
2008115668.tif 000002
【特許請求の範囲】
【請求項１】
ストレート形状に形成された主管部と、該主管部の径方向に突設された分岐管部とが備えられて一体成形されたボディと、
該ボディ内部に止水栓及び分岐栓が備えられた分岐止水栓であって、
該止水栓を回転駆動させる止水スピンドルと該分岐栓を回転駆動させる分岐スピンドルとが、前記主管部の軸心回りにおいて、３０度の角度の範囲内に取り付けられていることを特徴とする分岐止水栓。
【請求項２】
前記止水スピンドルと前記分岐スピンドルとが、前記主管部の軸心回りにおいて１０度から３０度の角度の範囲内に取り付けられていることを特徴とする請求項１に記載の分岐止水栓。
【請求項３】
前記止水スピンドルと前記分岐スピンドルとが、前記主管部の軸心回りにおいて同一方向に取り付けられていることを特徴とする請求項１に記載の分岐止水栓。
【請求項４】
前記止水スピンドル及び前記分岐スピンドルの少なくとも一方にハンドルが取り付けられたことを特徴とする請求項１から請求項３のいずれかに記載の分岐止水栓。
【請求項５】
前記止水栓が前記分岐水栓の二次側に配設されたことを特徴とする請求項１から請求項４のいずれかに記載の分岐止水栓。
【発明の詳細な説明】
【技術分野】
【０００１】
本発明は、分岐栓と止水栓とを備えた分岐止水栓に関する。
【背景技術】
【０００２】
図１８に示すように、従来、洗面台やキッチンシンク等に設置される水栓本体４と、洗面台等の近傍の壁面や床面に引き回される給湯配管や給水配管とが、洗面台等のキャビネット２等の内部において配管類１１０により接続されているものが知られている。この配管類１１０の途中には、水栓本体４のメンテナンス時等において水栓本体４への湯水の供給を一時的に停止させるための止水栓１１２が設けられる例が多い。そして、この止水栓１１２の他に、前記した配管類１１０の途中に、分岐栓１１４が配設され、必要に応じて、この分岐栓１１４からも湯水を流出可能に設けるものが知られている。このような分岐栓１１４を用いて、例えば、大型のバケツなど洗面ボウル内に収まりきらない大型の容器に湯水を貯めたい場合に、分岐栓１１４にホース１１を接続して、このホース１１から湯水を貯めるように設けられているものが知られている。また、分岐栓１１４から洗濯機にホース１１を接続して、分岐栓１１４から洗濯機等に湯水を供給するものも知られている。そして、分岐栓１１４を使用する必要がない場合には、分岐栓１１４を閉じ、分岐管１０８をめくら蓋等により閉止しておいて、過って分岐管１０８から湯水が吐出されないようにするようにされていた（例えば、特許文献１参照。）。
【０００３】
【特許文献１】登録実用新案第３０５９２２８号公報（図２，図３）
【発明の開示】
【発明が解決しようとする課題】
【０００４】
しかしながら、上記した従来の止水栓１１２と分岐栓１１４では、それぞれの止水ハンドル１１６，分岐ハンドル１１８が別の方向に向いて取り付けられているために、一方のハンドル１１８が、止水栓１１２等の側方に設置される水受けタンク１０やキャビネット２の側壁面等と干渉したり、又は、水受けタンク１２２等にハンドル１１８が近接してしまい、ハンドル１１８の操作が困難となるという問題が生じていた。また、ハンドル１１８がキャビネット２正面側とは異なる方向に向けて突設されることになるため、ハンドル１１８を操作する際の操作量を目視することが困難となり、ハンドル１１８の正確な操作量を定めることが困難となるという問題も生じていた。
【０００５】
また、止水栓１１２と分岐栓１１４とを連結して用いているので、両水栓１１２，１１４間にシール部材を取り付ける作業などが生じ、設置現場での取付作業が繁雑となり好ましくないという問題があった。また、経年劣化などによるシール部分からの水漏れにも配慮しなければならないという問題もあった。
【０００６】
本発明は上記した従来の分岐止水栓の問題点を解消するものであり、操作性を向上させることができ、また、取付作業の煩雑さを解消し、水漏れのおそれも低減することのできる分岐止水栓を提供することを目的とする。
【課題を解決するための手段】
【０００７】
以上の課題を解決するために、本発明の採った手段を以下に説明する。本発明の分岐止水栓は、ストレート形状に形成された主管部と、該主管部の径方向に突設された分岐管部とが備えられて一体成形されたボディと、該ボディ内部に止水栓及び分岐栓が備えられた分岐止水栓であって、該止水栓を回転駆動させる止水スピンドルと該分岐栓を回転駆動させる分岐スピンドルとが、前記主管部の軸心回りにおいて、３０度の角度の範囲内に取り付けられていることを特徴とする分岐止水栓（請求項１）である。
【０００８】
このように構成することにより、分岐止水栓の軸心回りの幅をスリムにすることができ、分岐止水栓が設置される周辺の部材との干渉を避け、また、両スピンドルを同方向から目視により確認し易くすることができる。また、止水栓と分岐栓とを内蔵するボディを一体成形したので、止水栓と分岐栓とを接続する取り付け作業は必要なく、また、止水栓と分岐栓とを接続した後にシール部材の劣化等による水漏れを懸念する必要が無い。
【０００９】
なお、本発明では、両スピンドルの角度を、上記したように、３０度の角度の範囲内とする。「スピンドル」には、種々の態様を含むが、それ自体をレンチなどの工具によって回転操作するもの、ハンドルを取り付けておいてハンドルの操作により回転操作するものなどを例示することができる。
【００１０】
また、この分岐止水栓を、止水スピンドルと分岐スピンドルとが、主管部の軸心回りにおいて１０度から３０度の角度の範囲内に取り付けられるものとすることもできる（請求項２）。
【００１１】
このように両スピンドルの角度に一定以上の角度（１０度以上）を付けることにより、両スピンドルの一方を操作する際に、操作者の手などが他方のスピンドルに干渉しないように左右に遠ざけておくことができる。一方で、両スピンドルの角度は３０度以内に収まっているので、分岐止水栓の軸心回りの幅をスリムにすることの妨げにはならない。
【００１２】
また、この分岐止水栓を、止水スピンドルと分岐スピンドルとが、主管部の軸心回りにおいて同一方向に取り付けられるものとすることもできる（請求項３）。
【００１３】
このように両スピンドルを主管部の軸心回りにおいて同一方向に取り付けることとすると、両スピンドルの方向が揃い、美観上の統一感を生ぜしめ、分岐止水栓の美観を向上させることもできる。
【００１４】
また、この分岐止水栓において、止水スピンドル及び分岐スピンドルの少なくとも一方にハンドルが取り付けられるものとすることもできる（請求項４）。
【００１５】
このように、両スピンドルにハンドルが取り付けられる場合、分岐止水栓の設置の際に周辺の部材に干渉し難く、また、スピンドルよりも幅を取るハンドルの操作の際に、周辺の部材や操作者の手等により一層干渉し易い。よって、ハンドルを取り付けた分岐止水栓にこの発明を適用すると、好適である。
【００１６】
また、この分岐止水栓において、前記止水栓が前記分岐水栓の二次側に配設されたものとすることもできる（請求項５）。
【００１７】
止水栓が分岐水栓の二次側に配設されることにより、二次側の止水栓の開閉にかかわらず、一次側の分岐水栓の開閉を行えば分岐管からの吐水を行うことができる。よって、主管部側に接続される水栓本体の使用を停止していても、分岐管に接続されたホース等からの吐水を行うことができ、分岐栓の利便性が損なわれることがない。
【発明の効果】
【００１８】
本発明は上記のように、一体化されたボディに止水ハンドルと分岐ハンドルとが同一方向に突設されることにより、止水ハンドル及び分岐ハンドル双方の操作性を向上させることができる。また、止水栓と分岐栓とを連結する作業を必要としないので、取付作業の煩雑さを解消することができる。また、水漏れのおそれを低減することもできる。また、特に請求項３の分岐止水栓においては、分岐止水栓の美観を向上させることもできる。また、特に請求項５の分岐止水栓においては、これに加えて、分岐止水栓の利便性を向上させることもできる。
【発明を実施するための最良の形態】
【００１９】
次に、本発明の分岐止水栓の実施の形態を図を参考にして詳細に説明する。図１に示すように、本発明の分岐止水栓２０は、洗面台１のキャビネット２内部に取り付けられるものである。キャビネット２のカウンター３上面には、湯水混合水栓の水栓本体４が立設されており、カウンター３裏面側に露呈された水栓本体４の下面から、湯側配管５及び水側配管６が延設されている。これらの湯側配管５，水側配管６は、それぞれ、分岐止水栓２０を介して、キャビネット２下方の床面に引き回された図示しない給湯配管、給水配管側に接続される。水側配管６の下端部は、分岐止水栓２０に、接続金具７を介して接続されている。また、分岐止水栓２０の下端部は、接続金具８を介して、配管９に接続されている。そして、図示は省略するが、湯側配管５側の分岐止水栓についても、同様に、接続金具７等を介して接続がなされている。
【００２０】
キャビネット２内部の中央付近底面には、図示しないシャワーホースから滴下する湯水を受け止めるための水受けタンク１０が設置されている。湯側配管５及び水側配管６が水受けタンク１０を迂回するように屈曲され、前記した両分岐止水栓２０が、この水受けタンク１０の両側に配置される。また、後述するが、分岐止水栓２０の分岐管部２５には、図示しない洗濯機に水を供給するためのホース１１が接続されている。
【００２１】
ついで、図２〜図７を参照して、分岐止水栓２０について詳述する。図２〜図６に示すように、分岐止水栓２０には、上下方向にストレートに形成された主管部２２とこの主管部２２に直交する方向に左右に突設された分岐管部２４，２５とが備えられたボディ２６が設けられている。主管部２２の上端には雄ねじが刻設された雄ねじ部２８が備えられ、下端面には雌ねじが刻設された雌ねじ部３０が備えられている。また、分岐管部２４，２５の先端にも雄ねじ部３２が備えられている。
【００２２】
また、図７に示すように、主管部２２と分岐管部２４，２５が交差する部位のボディ２６には、分岐栓３４が内蔵されている。分岐栓３４は、ボディ２６の内部の流路３６に対して隔壁３８によって隔離された分岐栓室４０内に収容されている。分岐栓室４０の隔壁３８には、分岐栓３４によって流路３６に対して開閉される弁口３９が開設されており、また、分岐栓室４０は、ボディ２６左右の分岐管部２４，２５に連通されており、弁口３９が開放されることにより、主管部２２の下端の下部接続口３７、流路３６及び分岐管部２４，２５とが連通するように設けられている。
【００２３】
分岐栓室４０内には、スピンドル４２が、その中央付近に形成された雄ねじ部４３が分岐栓室４０内部の雌ねじ部４４に螺合され、分岐ハンドル４７によって回転操作されることにより、弁口３９に対して進退自在に取り付けられている。
【００２４】
また、スピンドル４２の一端側の取付孔４５に取着されたねじ４８により、弁体４６が、スピンドル４２一端側に取り付けられている。また、スピンドル４２の他端側の取付孔５０に取着されたねじ５２により、分岐ハンドル４７が、スピンドル４２他端側に取り付けられている。
【００２５】
そして、ボディ２６正面側に開口された分岐栓室４０の開口部に、スピンドル４２の抜け止めを行うための座金５４、及び分岐栓室４０開口部のシールを行うためのパッキン５６が介在されて、袋ナット５８により、スピンドル４２が分岐栓室４０内に収容保持されている。
【００２６】
また、主管部２２の止水栓室４０よりも上部寄りの二次側には、止水栓室６０が設けられており、この止水栓室６０に止水栓６２が内蔵されている。止水栓室６０は、流路３６に対して隔壁６４によって隔離されるとともに、主管部２２の上端の上部接続口６６に連通されている。止水栓室６０の隔壁６４には、止水栓６２によって流路３６に対して開閉される弁口６８が開設されており、弁口６８が開放されることにより、流路３６、止水栓室６０及び上部接続口６６とが連通するように設けられている。
【００２７】
止水栓室６０内には、スピンドル７０が、その中央付近に形成された雄ねじ部７２が止水栓室６０内部の雌ねじ部７４に螺合され、止水ハンドル７５によって回転操作されることにより、弁口６８に対して進退自在に取り付けられている。
【００２８】
また、スピンドル７０の一端側の取付孔７６に取着されたねじ７８により、弁体８０が、スピンドル７０一端側に取り付けられている。また、スピンドル７０の他端側の取付孔８２に取着されたねじ８４により、止水ハンドル７５が、スピンドル７０他端側に取り付けられている。
【００２９】
そして、ボディ２６正面側に開口された止水栓室６０の開口部に、スピンドル７０の抜け止めを行うための座金８６、及び止水栓室６０開口部のシールを行うためのパッキン８８が介在されて、袋ナット９０により、スピンドル７０が止水栓室６０内に収容保持されている。
【００３０】
そして、図２等に示すように、分岐栓室４０及び止水栓室６０が、ボディ２６に対して同一方向に向けて開口されており、これらに収容されるスピンドル４２及びスピンドル７０が、共にボディ２６の正面側に同一方向に向けて突設されている。そして、スピンドル４２，７０にそれぞれ取り付けられた分岐ハンドル４７，止水ハンドル７５もボディ２６正面側の同一方向に向けて取り付けられることになる。
【００３１】
このように構成された分岐止水栓２０は、止水栓６２を開放すると、流路３６から止水栓室６０、上部接続口６６を経て水栓本体４側に湯又は水が供給され、水栓本体４からの湯・水の吐出を可能にする。止水栓６２を閉止すると水栓本体４側への湯又は水の供給は停止され、例えば、水栓本体４の交換や修理などの際に湯・水が配管５，６などから飛び出すことを回避できる。
【００３２】
また、分岐栓３４を開放すると、流路３６から分岐栓室４０を経て分岐管部２４，２５に湯又は水が流入する。本分岐止水栓２０においては、図１に示すように、分岐管部２４の開口部にはめくら蓋９２が取り付けられており、分岐管部２５に接続されたホース１１にのみ水が流入されて、洗濯機側に水が供給される。なお、分岐栓３４は、止水栓６２よりも一次側に設けられているので、止水栓６２の開閉の如何にかかわらず、分岐管部２４，２５に接続された水栓部品に湯又は水を供給可能である。
【００３３】
本分岐止水栓２０は、このように、分岐ハンドル４７，止水ハンドル７５が同一方向（分岐止水栓２０の正面側）に向けて取り付けられており、キャビネット２の正面側に向けて取り付けられているので、分岐止水栓２０横の水受けタンク１０や、キャビネット２の側壁に分岐ハンドル４７、止水ハンドル７５が干渉して操作が困難となることはない。また、キャビネット２の正面側に向けて両ハンドル４７，７５が取り付けられているので、いずれのハンドル４７，７５についても、その回転位置を目視することができ、正確な操作量を確認することができる。また、いずれのハンドル４７，７５も同一方向に向けて取り付けられることにより、両ハンドル４７，７５の統一感が図られ、分岐止水栓２０の美観を向上させることもできる。また、分岐栓３４及び止水栓６２を一体的に成形されたボディ２６に内蔵しているので、別体の分岐栓と止水栓を接続するような作業が生じなく、また、これらを接続した場合の水漏れのおそれも無い。
【００３４】
本発明は上記した実施の形態に限られるものではなく、本発明の趣旨の範囲内で種々の変更が可能である。例えば、分岐止水栓のボディの形状は、他の形状とされるものでも良い。なお、以下において、上記したの実施の形態と共通する構成については、同一の符号を図に付して説明を省略する。図８に示すように、正面視において左側にのみ分岐管部１００が設けられた分岐止水栓９４とすることもできる。また、図９に示すのは、正面視において右側にのみ分岐管部１０２が設けられた分岐止水栓９５とすることもできる。また、図１０に示す分岐止水栓９６のように、分岐管部１０４を延伸させこの分岐管部１０４の途中に分岐ハンドル４７を設けることとしても良い。この分岐止水栓９６では、主管部２２と分岐管部２４，１０４とが交叉する部位に止水ハンドル７５が配設されている。これらの分岐止水栓においては、いずれも、分岐ハンドル４７及び止水ハンドル７５は、分岐止水栓の正面側に向けて取り付けられている。また、図１１に示すように、分岐止水栓９７の正面視左側に向けて分岐ハンドル４７及び止水ハンドル７５を取り付けると共に、分岐ハンドル４７が設けられる位置の分岐止水栓９７正面側に分岐管部１０６を突設し、止水栓６２が設けられる部位の分岐止水栓９７の右側面に別の接続部９８を設けることとしても良い。
【００３５】
また、図１２に示すように、ハンドルを取り付けない分岐止水栓１２０であっても、本発明は適用可能である。また、スピンドルの形状等に特に限定は無く、例えば、図１３に示すような断面正方形のスピンドル１２２や、図１４に示すような断面長方形のスピンドル１２４や、図１５に示すような断面六角形状のスピンドル１２６のような種々のスピンドルを用いることもできる。また、図１６に示すような、先端面にコインなどにより回転操作可能な溝１３４を備えたスピンドル１２８などでも良い。このようなハンドルを取り付けないスピンドルのみを備えた分岐止水栓であっても、ハンドルを備えた分岐止水栓２０等と同様に、周辺の部材に干渉し難く、また、専用の工具等による回転操作の際に、周辺の部材に干渉したり、操作者自身の手が接触する等の問題が生じ難い。
【００３６】
また、図１７に示すように、主管部２２の軸心回りにおいて、両スピンドル１３０、１３２の角度を３０度の範囲内で変更することもできる。このように両スピンドル１３０，１３２の角度に一定以上の角度（１０度以上）を付けることにより、両スピンドル１３０，１３２の一方を操作する際に、操作者の手などが他方のスピンドルに干渉しないように左右に遠ざけておくことができる。一方で、両スピンドル１３０，１３２の角度は３０度以内に収まっているので、分岐止水栓１２０の主管部２２軸心回りの幅をスリムに抑えることは可能である。
【００３７】
また、上記した実施例では、ボディ２６に内蔵される分岐栓３４及び止水栓６２は、弁体４６、８０をスピンドル４２、７０により弁口３９、６８に対して進退させる態様の弁装置を用いているが、これに限られず、例えば、円筒状の弁体の外側面に弁口が開設されるいわゆるドラム弁や、円盤状の弁体に弁口を開設して摺動させるように弁体を回転させるディスク弁など、他の種々弁装置を用いることができる。
【図面の簡単な説明】
【００３８】
【図１】本発明の分岐止水栓を用いた洗面台の一部断面図である。
【図２】分岐止水栓の正面図である。
【図３】分岐止水栓の背面図である。
【図４】分岐止水栓の右側面図である。
【図５】分岐止水栓の平面図である。
【図６】分岐止水栓の底面図である。
【図７】図２のＡ-Ａ’線断面図である。
【図８】第二の実施例に係る分岐止水栓の正面図である。
【図９】第三の実施例に係る分岐止水栓の正面図である。
【図１０】第四の実施例に係る分岐止水栓の正面図である。
【図１１】第五の実施例に係る分岐止水栓の正面図である。
【図１２】第六の実施例に係る分岐止水栓の正面図である。
【図１３】別のスピンドルの斜視図である。
【図１４】さらに別のスピンドルの斜視図である。
【図１５】さらに別のスピンドルの斜視図である。
【図１６】さらに別のスピンドルの斜視図である。
【図１７】第七の実施例に係る分岐止水栓の正面図である。
【図１８】従来の分岐止水栓を用いた洗面台の一部断面図である。
【符号の説明】
【００３９】
１；洗面台、２；キャビネット、３；カウンター、４；水栓本体、５；湯側配管、６；水側配管、７，８；接続金具、９；配管、１０；水受けタンク、１１；ホース、２０；分岐止水栓、２２；主管部、２４，２５；分岐管部、２６；ボディ、２８；雄ねじ部、３０；雌ねじ部、３２；雄ねじ部、３４；分岐栓、３６；流路、３７；下部接続口、３８；隔壁、３９；弁口、４０；分岐栓室、４２；スピンドル、４３；雄ねじ部、４４；雌ねじ部、４５；取付孔、４６；弁体、４７；分岐ハンドル、４８；ねじ、５０；取付孔、５２；ねじ、５４；座金、５６；パッキン、５８；袋ナット、６０；止水栓室、６２；止水栓、６４；隔壁、６６；上部接続口、６８；弁口、７０；スピンドル、７２；雄ねじ部、７４；雌ねじ部、７５；止水ハンドル、７６；取付孔、７８；ねじ、８０；弁体、８２；取付孔、８４；ねじ、８６；座金、８８；パッキン、９０；袋ナット、９２；めくら蓋、９４，９５，９６，９７；分岐止水栓、９８；接続部、１００，１０２，１０４，１０６；分岐管部、１０８；分岐管、１１０；配管類、１１２；止水栓、１１４；分岐栓、１１６；止水ハンドル、１１８；分岐ハンドル、１２０；分岐止水栓、１２２，１２４，１２６，１２８，１３０，１３２；スピンドル、１３４；溝。
【図１】
2008115668.tif 000003
【図２】
2008115668.tif 000004
【図３】
2008115668.tif 000005
【図４】
2008115668.tif 000006
【図５】
2008115668.tif 000007
【図６】
2008115668.tif 000008
【図７】
2008115668.tif 000009
【図８】
2008115668.tif 000010
【図９】
2008115668.tif 000011
【図１０】
2008115668.tif 000012
【図１１】
2008115668.tif 000013
【図１２】
2008115668.tif 000014
【図１３】
2008115668.tif 000015
【図１４】
2008115668.tif 000016
【図１５】
2008115668.tif 000017
【図１６】
2008115668.tif 000018
【図１７】
2008115668.tif 000019
【図１８】
2008115668.tif 000020